(57)【特許請求の範囲】
【請求項１】
光ビーム発射手段と、該光ビーム発射手段から発射された光ビームを主走査方向に偏向せしめる偏向手段と、該光ビームを反射させる反射鏡と、該反射鏡を強制的に湾曲させた状態で保持する保持体と、該保持体によって強制湾曲せしめられた湾曲方向と逆方向に湾曲させるように該保持体に保持された反射鏡を押し込む押込手段とを具備し、該押込手段による押込量の調整によって走査対象物表面上での主走査線の湾曲を補正する湾曲補正機構とを備え、該光ビームによって該走査対象物を光走査する光走査装置において、
上記保持体として、上記反射鏡よりも剛性の強いものを用い、
上記反射鏡の長手方向の両端部でそれぞれ、該反射鏡を支持部材で支えながら該支持部材よりも端側で該反射鏡を押圧部材によって押圧することで、該反射鏡を強制的に湾曲させた状態で保持するように、上記保持体を構成し、
上記保持体とともに上記反射鏡の姿勢を変化させて上記走査対象物の表面上における主走査線の傾きを調整する傾き調整手段を備え、
上記反射鏡の上記押圧部材よりもさらに一端側は、上記傾き調整手段を介して装置本体に取り付けられており、上記反射鏡の上記押圧部材よりもさらに他端側は、上記保持体を介さずに直接、装置本体に取り付けられていることを特徴とする光走査装置。
【請求項２】
請求項１の光走査装置において、
上記支持部材によって上記反射鏡の鏡面を支えつつ、上記押圧部材によって該反射鏡を裏面側から押圧するように、上記保持体を構成したことを特徴とする光走査装置。
【請求項３】
請求項１または２の光走査装置において、
上記反射鏡をその長手方向の両端部でそれぞれ支持する支持部材よりも該長手方向の中央寄りで該反射鏡を押し込むように、上記押込手段を構成したことを特徴とする光走査装置。
【請求項４】
請求項３の光走査装置において、
上記反射鏡を裏面側から押し込むように、上記押込手段を構成したことを特徴とする光走査装置。
【請求項５】
請求項４の光走査装置において、
前記押込手段は、一つ以上の調節ネジであり、該調節ネジの先端を前記反射鏡の裏面に当接させて、該調節ネジの回転方向および回転量を調整することによって、上記反射鏡に対する押込量を調整することを特徴とする光走査装置。
【請求項６】
請求項４の光走査装置において、
前記押込手段は、カム部材であり、該カム部材を前記反射鏡の裏面に当接させて、前記カム部材の回転角度を調整することによって、上記反射鏡に対する押込量を調整することを特徴とする光走査装置。
【請求項７】
請求項１乃至６いずれかの光走査装置において、
鏡面と直交する方向に引いた仮想線に対して角度をなす方向から前記反射鏡を、押し込むよう前記押込手段を構成したことを特徴とする光走査装置。
【請求項８】
請求項１乃至７の何れかの光走査装置において、
上記保持体として、本体に上記支持部材が一体形成されたものを用いたことを特徴とする光走査装置。
【請求項９】
請求項１乃至８いずれかの光走査装置において、
上記保持体の上記支持部材を上記光ビームの主走査方向の有効範囲からはずした位置に設けたことを特徴とする光走査装置。
【請求項１０】
請求項１乃至９いずれかの光走査装置において、
上記光ビームを反射させる反射鏡を複数備え、
該光ビームは、複数の反射鏡に反射されて上記走査対象物に光走査されるよう構成されており、
複数の反射鏡のうち、反射鏡に入射する光ビームと、前記反射鏡で反射した光ビームとのなす角度が最も鈍角とる反射鏡を上記湾曲補正機構によって湾曲させるよう構成したことを特徴とする光走査装置。
【請求項１１】
請求項１乃至１０の何れかの光走査装置において、
上記ビーム発射手段として、それぞれ異なる走査対象物を光走査するための上記光ビームを発射する複数のものを設けるとともに、上記反射鏡として、それらビーム発射手段にそれぞれ個別に対応する複数のものを設け、且つ、上記湾曲補正機構をそれらビーム発射手段と同数あるいはビーム発射手段よりも１つ少ない個数だけ設けたことを特徴とする光走査装置。
【請求項１２】
潜像を担持する潜像担持体と、光走査によって該潜像担持体の表面に潜像を形成する光走査手段と、該潜像担持体に担持された潜像を現像する現像手段とを備える画像形成装置において、
上記光走査手段として、請求項１乃至１１の何れかの光走査装置を用いたことを特徴とする画像形成装置。
【発明の詳細な説明】
【技術分野】
【０００１】
本発明は、主走査線の湾曲を補正する湾曲補正機構を備えた光走査装置及び画像形成装置に関するものである。
【背景技術】
【０００２】
従来、レーザービームプリンタ、デジタル複写機、レーザーファクシミリ等の画像形成装置において、画像情報に基づいて生成した光ビームによって感光体等の潜像担持体を光走査することで、潜像担持体上に潜像を形成するものが知られている。かかる画像形成装置における光走査装置は、一般に、レーザーダイオード等の光源、ポリゴンミラー等からなる偏向手段、ｆθレンズ、反射鏡などを有している。そして、光源から発射した光ビームを、偏向手段によって主走査方向に偏向せしめたり、ｆθレンズで集光したりしながら、反射鏡による反射によって潜像担持体の表面に導く。
【０００３】
かかる構成の光書込装置においては、それを構成する光学系部品や支持体などに、製造時の加工誤差などによる微妙な歪みがどうしても発生する。また、モータの発熱を伴う光走査動作中には、光学系部品や支持体の微妙な熱変形が生ずる。更には、光学系部品や支持体には組付誤差が少なからず発生する。そして、これら歪み、熱変形、組付誤差などにより、潜像担持体の表面上の主走査線を湾曲させてしまうことがある。このような湾曲が生ずると、正常な画像を形成することができなくなる。
【０００４】
上述した主走査線の湾曲は、光走査装置を構成する様々な部品の歪み、熱変形、組付誤差などの交差が積み重なったものであるため、湾曲量や湾曲方向が製品毎に異なってくる。このため、正常な光走査を行うためには、主走査線が潜像担持体の表面上で副走査方向（潜像担持体表面移動方向）の上流側、下流側の何れの方向に湾曲したとしても、それを補正できるようにする必要がある。
【０００５】
そこで、本出願人は、特許文献１において、主走査線が何れの方向に湾曲していてもそれを補正できるようにした湾曲補正機構を設けた光走査装置を提案した。この湾曲補正機構は、ホルダーによって反射鏡を厚み方向に強制的に湾曲させた状態で保持している。そして、このようにして保持した反射鏡をアジャスタによって押し込む押込装置により、反射鏡に対してホルダーによる強制湾曲方向とは逆方向への湾曲力を付与している。この押込装置によって反射鏡を僅かに押し込むと、ホルダーによって強制的に湾曲せしめられている反射鏡の湾曲量が減少する。また、反射鏡を更に押し込んでいくと、反射鏡が初期の状態とは逆方向に湾曲する。このように、反射鏡を何れの方向にも湾曲させることができる湾曲補正機構により、主走査線の湾曲を反射鏡の逆方向の湾曲で相殺することで、主走査線の湾曲を補正することができる。
【０００６】
【特許文献１】特開２００６−１７８８１号公報
【発明の開示】
【発明が解決しようとする課題】
【０００７】
しかしながら、本発明者らが、上述した湾曲補正機構を試作して実機に搭載したところ、搭載当初に湾曲を良好に補正した主走査線が経時的に湾曲していき、やがて、湾曲補正機構で湾曲を補正することができなくなってしまった。そして、その後の調査により、反射鏡を強制的に湾曲させた状態で保持しているホルダーが反射鏡の腰の強さに負けて徐々に変形していたことが原因であることがわかった。
【０００８】
本発明は、以上の背景に鑑みなされたものであり、その目的とするところは、主走査線の湾曲をより長期間に渡って補正することができる光走査装置及び画像形成装置を提供することである。
【課題を解決するための手段】
【０００９】
上記目的を達成するために、請求項１の発明は、光ビーム発射手段と、該光ビーム発射手段から発射された光ビームを主走査方向に偏向せしめる偏向手段と、該光ビームを反射させる反射鏡と、該反射鏡を強制的に湾曲させた状態で保持する保持体と、該保持体によって強制湾曲せしめられた湾曲方向と逆方向に湾曲させるように該保持体に保持された反射鏡を押し込む押込手段とを具備し、該押込手段による押込量の調整によって走査対象物表面上での主走査線の湾曲を補正する湾曲補正機構とを備え、該光ビームによって該走査対象物を光走査する光走査装置において、上記保持体として、上記反射鏡よりも剛性の強いものを用い、上記反射鏡の長手方向の両端部でそれぞれ、該反射鏡を支持部材で支えながら該支持部材よりも端側で該反射鏡を押圧部材によって押圧することで、該反射鏡を強制的に湾曲させた状態で保持するように、上記保持体を構成し、上記保持体とともに前記反射鏡の姿勢を変化させて前記走査対象物の表面上における主走査線の傾きを調整する傾き調整手段を備え、上記反射鏡の上記押圧部材よりもさらに一端側は、上記傾き調整手段を介して装置本体に取り付けられており、上記反射鏡の上記押圧部材よりもさらに他端側は、上記保持体を介さずに直接、装置本体に取り付けられていることを特徴とするものである。
また、請求項２の発明は、請求項１の光走査装置において、上記支持部材によって上記反射鏡の鏡面を支えつつ、上記押圧部材によって該反射鏡を裏面側から押圧するように、上記保持体を構成したことを特徴とするものである。
また、請求項３の発明は、請求項１または２の光走査装置において、上記反射鏡をその長手方向の両端部でそれぞれ支持する支持部材よりも該長手方向の中央寄りで該反射鏡を押し込むように、上記押込手段を構成したことを特徴とするものである。
また、請求項４の発明は、請求項３の光走査装置において、上記反射鏡を裏面側から押し込むように、上記押込手段を構成したことを特徴とするものである。
また、請求項５の発明は、請求項４の光走査装置において、前記押込手段は、一つ以上の調節ネジであり、該調節ネジの先端を前記反射鏡の裏面に当接させて、該調節ネジの回転方向および回転量を調整することによって、上記反射鏡に対する押込量を調整することを特徴とするものである。
また、請求項６の発明は、請求項４の光走査装置において、前記押込手段は、カム部材であり、該カム部材を前記反射鏡の裏面に当接させて、前記カム部材の回転角度を調整することによって、上記反射鏡に対する押込量を調整することを特徴とするものである。
また、請求項７の発明は、請求項１乃至６いずれかの光走査装置において、鏡面と直交する方向に引いた仮想線に対して角度をなす方向から前記反射鏡を、押し込むよう前記押込手段を構成したことを特徴とするものである。
また、請求項８の発明は、請求項１乃至７の何れかの光走査装置において、上記保持体として、本体に上記支持部材が一体形成されたものを用いたことを特徴とするものである。
また、請求項９の発明は、請求項１乃至８いずれかの光走査装置において、上記保持体の上記支持部材を上記光ビームの主走査方向の有効範囲からはずした位置に設けたことを特徴とするものである。
また、請求項１０の発明は、請求項１乃至９いずれかの光走査装置において、上記光ビームを反射させる反射鏡を複数備え、該光ビームは、複数の反射鏡に反射されて上記走査対象物に光走査されるよう構成されており、複数の反射鏡のうち、反射鏡に入射する光ビームと、前記反射鏡で反射した光ビームとのなす角度が最も鈍角とる反射鏡を上記湾曲補正機構によって湾曲させるよう構成したことを特徴とするものである。
また、請求項１１の発明は、請求項１乃至１０の何れかの光走査装置において、上記ビーム発射手段として、それぞれ異なる走査対象物を光走査するための上記光ビームを発射する複数のものを設けるとともに、上記反射鏡として、それらビーム発射手段にそれぞれ個別に対応する複数のものを設け、且つ、上記湾曲補正機構をそれらビーム発射手段と同数あるいはビーム発射手段よりも１つ少ない個数だけ設けたことを特徴とするものである。
また、請求項１２の発明は、潜像を担持する潜像担持体と、光走査によって該潜像担持体の表面に潜像を形成する光走査手段と、該潜像担持体に担持された潜像を現像する現像手段とを備える画像形成装置において、上記光走査手段として、請求項１乃至１１の何れかの光走査装置を用いたことを特徴とするものである。
【発明の効果】
【００１０】
これらの発明においては、反射鏡を強制的に湾曲させた状態で保持する保持体が反射鏡よりも強い剛性を発揮することにより、同じ剛性あるいは反射鏡よりも弱い剛性のものに比べて、保持体の経時的な変形を抑える。よって、主走査線の湾曲をより長期間に渡って補正することができる。
【発明を実施するための最良の形態】
【００１１】
以下、本発明を、電子写真方式のカラーレーザープリンタ（以下、単にプリンタという）に適用した実施形態について説明する。
図１は、本実施形態に係るプリンタを示す概略構成図である。このプリンタは、筐体１と、この筐体１から引き出し可能な給紙カセット２とを備えている。筐体１の中央部には、イエロー（Ｙ）、シアン（Ｃ）、マゼンダ（Ｍ）、黒（Ｋ）の各色のトナー像（可視像）を形成するための作像ステーション３Ｙ，３Ｃ，３Ｍ，３Ｋを備えている。以下、各符号の添字Ｙ、Ｃ、Ｍ、Ｋは、それぞれイエロー、シアン、マゼンダ、黒用の部材であることを示す。
【００１２】
図２は、イエロー（Ｙ）用の作像ステーションを示す概略構成図である。なお、他の作像ステーションも同様の構成である。
図１及び図２に示すように、作像ステーション３Ｙ，３Ｃ，３Ｍ，３Ｋは、図中矢印Ａ方向に回転する潜像担持体としてのドラム状の感光体１０Ｙ，１０Ｃ，１０Ｍ，１０Ｋを備えている。感光体１０Ｙ，１０Ｃ，１０Ｍ，１０Ｋは、直径４０［ｍｍ］のアルミニウム製の円筒状基体と、その表面を覆う、例えばＯＰＣ（有機光半導体）感光層とから構成されている。各作像ステーション３Ｙ，３Ｃ，３Ｍ，３Ｋは、それぞれ、感光体１０Ｙ，１０Ｃ，１０Ｍ，１０Ｋの周囲に、感光体を帯電する帯電装置１１Ｙ，１１Ｃ，１１Ｍ，１１Ｋを備えている。また、感光体に形成された潜像を現像する現像手段としての現像装置１２Ｙ，１２Ｃ，１２Ｍ，１２Ｋ、感光体上の残留トナーをクリーニングするクリーニング装置１３Ｙ，１３Ｃ，１３Ｍ，１３Ｋも感光体の周囲に備えている。
【００１３】
各作像ステーション３Ｙ，３Ｃ，３Ｍ，３Ｋの下方には、感光体１０Ｙ，１０Ｃ，１０Ｍ，１０Ｋに対し、書込光Ｌによる光走査を行う光走査装置としての光書込ユニット４を備えている。また、各作像ステーション３Ｙ，３Ｃ，３Ｍ，３Ｋの上方には、各作像ステーション３Ｙ，３Ｃ，３Ｍ，３Ｋによって形成されたトナー像が転写される中間転写ベルト２０を具備する中間転写ユニット５を備えている。また、中間転写ベルト２０に転写されたトナー像を転写体としての記録紙Ｐに定着せしめる定着ユニット６を備えている。また、筐体１の上部には、イエロー（Ｙ）、シアン（Ｃ）、マゼンタ（Ｍ）、黒（Ｋ）の各色のトナーを収容するトナーボトル７Ｙ，７Ｃ，７Ｍ，７Ｋが装填されている。このトナーボトル７Ｙ，７Ｃ，７Ｍ，７Ｋは、筐体１の上部に形成される排紙トレイ８を開くことにより、筐体１から脱着可能になっている。
【００１４】
光走査装置としての光書込ユニット４は、光源であるレーザーダイオードを有しており、このレーザーダイオードから、回転駆動される正多角柱構造のポリゴンミラーに向けて光ビームとしての書込光Ｌを発射する。発射された書込光Ｌは、回転するポリゴンミラーの鏡面によって主走査方向に偏向せしめられながら反射する。そして、複数の反射鏡によって折り返された後、帯電装置１１Ｙ，１１Ｃ，１１Ｍ，１１Ｋによって一様帯電せしめられた感光体１０Ｙ，１０Ｃ，１０Ｍ，１０Ｋの周面を走査する。これにより、潜像担持体としての感光体１０Ｙ，１０Ｃ，１０Ｍ，１０Ｋの周面に、それぞれＹ，Ｃ，Ｍ，Ｋ用の静電潜像が形成される。なお、光書込ユニット４の詳しい説明は後述する。
【００１５】
転写手段たる中間転写ユニット５の中間転写ベルト２０は、駆動ローラ２１、テンションローラ２２及び従動ローラ２３に掛け回されながら、所定タイミングで図中反時計回り方向に回転駆動される。また、中間転写ユニット５は、感光体１０Ｙ，１０Ｃ，１０Ｍ，１０Ｋに形成されたトナー像を中間転写ベルト２０に１次転写する１次転写ローラ２４Ｙ，２４Ｃ，２４Ｍ，２４Ｋを備えている。また、中間転写ベルト２０上に１次転写されたトナー像を記録紙Ｐに転写する２次転写ローラ２５、記録紙Ｐ上に転写されなかった中間転写ベルト２０上の転写残トナーをクリーニングするベルトクリーニング装置２６も備えている。
【００１６】
次に、本プリンタにおいて、カラー画像を得る工程について説明する。
まず、作像ステーション３Ｙ，３Ｃ，３Ｍ，３Ｋにおいて、感光体１０Ｙ，１０Ｃ，１０Ｍ，１０Ｋが帯電装置１１Ｙ，１１Ｃ，１１Ｍ，１１Ｋによって一様に帯電される。その後、画像情報に基づいて生成された書込光Ｌによって走査露光されて、感光体１０Ｙ，１０Ｃ，１０Ｍ，１０Ｋの表面に静電潜像が形成される。これらの静電潜像は、現像装置１２Ｙ，１２Ｃ，１２Ｍ，１２Ｋの現像ローラ１５Ｙ，１５Ｃ，１５Ｍ，１５Ｋ上に担持された各色のトナーによって現像されて、Ｙ，Ｃ，Ｍ，Ｋトナー像となる。感光体１０Ｙ，１０Ｃ，１０Ｍ，１０Ｋ上のＹ，Ｃ，Ｍ，Ｋトナー像は、各１次転写ローラ２４Ｙ，２４Ｃ，２４Ｍ，２４Ｋの作用によって反時計回りに回転駆動する中間転写ベルト２０上に順次重ねて１次転写される。このときの各色の作像動作は、そのトナー像が中間転写ベルト２０上の同じ位置に重ねて転写されるように、中間転写ベルト２０の移動方向上流側から下流側に向けてタイミングをずらして実行される。
【００１７】
１次転写終了後の感光体１０Ｙ，１０Ｃ，１０Ｍ，１０Ｋは、クリーニング装置１３Ｙ，１３Ｃ，１３Ｍ，１３Ｋのクリーニングブレード１３ａによってその表面がクリーニングされて、次の画像形成に備えられる。
【００１８】
トナーボトル７Ｙ，７Ｃ，７Ｍ，７Ｋに充填されているトナーは、必要性に応じて図示しない搬送経路によって各作像ステーション３Ｙ，３Ｃ，３Ｍ，３Ｋの現像装置１２Ｙ，１２Ｃ，１２Ｍ，１２Ｋに所定量補給される。
【００１９】
一方、上記給紙カセット２内の記録紙Ｐは、給紙カセット２の近傍に配設された給紙ローラ２７によって、筐体１内に搬送され、レジストローラ対２８によって所定のタイミングで２次転写部に搬送される。そして、２次転写部において、中間転写ベルト２０上に形成されたトナー像が記録紙Ｐに転写される。トナー像が転写された記録紙Ｐは、定着ユニット６を通過することでトナー像が定着せしめられた後、排出ローラ２９によって排紙トレイ８に排出される。感光体１０と同様に、中間転写ベルト２０上に残った転写残のトナーは、中間転写ベルト２０に接触するベルトクリーニング装置２６によってクリーニングされる。
【００２０】
次に、光書込ユニット４の構成について説明する。
図３は、本実施形態に係るプリンタおける光書込ユニット４を、４つの感光体とともに示す概略構成図である。この光書込ユニット４は、正多角柱構造の形状からなる２つのポリゴンミラー４１ａ，４１ｂを備えている。これらポリゴンミラー４１ａ，４１ｂは、その６つの側面に反射鏡を有しており、互いに正多角柱の中心を重ねるようにして上下方向に接続されている。そして、図示しないポリゴンモータによって同一回転軸線上で高速回転する。これにより、その側面にレーザーダイオード（光ビーム発射手段）からの書込光（レーザー光）が入射すると、この書込光が偏向・走査される。なお、ポリゴンミラー４１ａは、それに対して互いに反対方向から進んでくるＣ，Ｍ用の書込光Ｌｃ，Ｌｍを主走査方向に偏向せしめるものである。また、ポリゴンミラー４１ｂは、それに対して互いに反対方向から進んでくるＹ，Ｋ用の書込光Ｌｙ，Ｌｋを主走査方向に偏向せしめるものである。
【００２１】
図示の光書込ユニット４においては、ポリゴンミラー４１ａ，４１ｂや図示しないポリゴンモータ等により、光ビームとしての書込光Ｌを偏向せしめる偏向手段が構成されている。光書込ユニット４は、かかる偏向手段の他、４つの反射光学系、防音ガラス４２ａ，４２ｂ、走査レンズ４３ａ，４３ｂ、防塵ガラス４８ａ，４８ｂ，４８ｃ，４８ｄなども有している。
【００２２】
ポリゴンモータやポリゴンミラー４１ａ，４１ｂは、防音のためにポリゴンカバー部材によって覆われている。このポリゴンカバー部材の内外で書込光を通過させる目的から、ポリゴンカバーには、防音ガラス４２ａ，４２ｂが設けられている。光ビームとしての書込光は、この防音ガラス４２ａ，４２ｂを透過することで、ポリゴンカバーの内外を行き来することが可能になっている。なお、防音ガラス４２ａは、Ｙ，Ｃ用の書込光Ｌｙ，Ｌｃを透過させるためのものである。また、防音ガラス４２ｂは、Ｍ，Ｋ用の書込光Ｌｍ，Ｌｋを透過させるためのものである。
【００２３】
ポリゴンミラーによって主走査方向に偏向せしめられながら、防音ガラス４２ａを透過したＹ，Ｃ用の書込光Ｌｙ，Ｌｃは、それぞれ上下方向に並んだ状態で走査レンズ４３ａを透過する。この走査レンズ４３ａは、書込光Ｌｙ，Ｌｃを主走査線方向および副走査線方向に集光することでポリゴンミラーによる主走査方向の等角度運動を等速直線運動へと変えるとともに、ポリゴンミラーの面倒れ補正を行う役割を担っている。防音ガラス４２ｂを透過したＭ，Ｋ用の書込光Ｌｍ，Ｌｋは、ポリゴンカバーを介して前述の走査レンズ４３ａとは反対側に位置している走査レンズ４３ｂを透過する。
【００２４】
光書込ユニット４における４つの反射光学系は、それぞれ、上述したレーザーダイオード、反射鏡等から構成されている。具体的には、Ｙ，Ｃ，Ｍ，Ｋの各色のうち、Ｙ用の反射光学系を例にすると、これは、図示しないＹ用のレーザーダイオード、第１反射鏡４４Ｙ、第２反射鏡４５Ｙ、第３反射鏡４６Ｙ等を有している。これら反射鏡は、何れもレンズ機能を有さないミラーである。Ｃ，Ｍ，Ｋ用の反射光学系も、同様にして、レーザーダイオード、第１反射鏡（４４Ｃ〜Ｋ）、第２反射鏡（４５Ｃ〜Ｋ）、第３反射鏡４６（Ｃ〜Ｋ）を有している。
【００２５】
走査レンズ４３ａ，４３ｂを透過したＹ，Ｃ，Ｍ，Ｋ用の書込光Ｌｙ，Ｌｃ，Ｌｍ，Ｌｋは、Ｙ，Ｃ，Ｍ，Ｋ用の反射光学系の各反射鏡に向かう。例えば、走査レンズ４３ａを透過したＹ用の書込光Ｌｙは、第１反射鏡４４Ｙ、第２反射鏡４５Ｙ、第３反射鏡４６Ｙの鏡面を順次反射することで３回折り返されることで、Ｙ用の感光体１０Ｙの表面に導かれていく。Ｃ，Ｍ，Ｋ用のレーザー光Ｌｃ，Ｌｍ，Ｌｋも同様にしてそれぞれ専用の３つの反射鏡で折り返されることで、Ｃ，Ｍ，Ｋ用の感光体１０Ｃ，Ｍ，Ｋの表面に導かれていく。なお、第３反射鏡４６Ｙ，Ｃ，Ｍ，Ｋの鏡面で反射したＹ，Ｃ，Ｍ，Ｋ用の書込光Ｌｙ，Ｌｃ，Ｌｍ，Ｌｋは、光書込ユニット４の上面に設けられた防塵ガラス４８Ｙ，４８Ｃ，４８Ｍ，４８Ｋを透過した後、感光体１０Ｙ，Ｍ，Ｃ，Ｋの表面に到達する。
【００２６】
次に、本プリンタの特徴的な構成について説明する。
本プリンタの光書込ユニット４は、Ｙ，Ｃ，Ｍ，Ｋ用の反射光学系にそれぞれ、何れか１つの反射鏡の湾曲状態を調整することで主走査線の湾曲方向や湾曲量を調整する湾曲補正機構と、その反射鏡の傾きを調整する傾き補正機構とを設けている。以下、Ｙ用の反射光学系を例にして、湾曲補正機構や傾き補正機構について説明する。
【００２７】
図４は、Ｙ用の第３反射鏡４６Ｙとその周囲構成とを、第３反射鏡４６Ｙの鏡面側から示す斜視図である。また、図５は、Ｙ用の第３反射鏡４６Ｙの縦断面と、その周囲構成とを示す構成図である。これらの同図において、第３反射鏡４６Ｙは、その裏面側に存在するコの字状の断面形状を有するホルダー５２Ｙによって保持されている。そして、長手方向の両端部をそれぞれホルダー５２Ｙの長手方向両端から突出させている。
【００２８】
第３反射鏡４６Ｙの長手方向の一端部裏面には、傾き補正機構が当接している。そして、この傾き補正機構は、図６に示すように、傾き調整パルスモータ５６Ｙ、モータホルダ５７Ｙ、傾き調整アジャスタ５８Ｙ等を有している。
【００２９】
また、図４や図５に示すように、第３反射鏡４６Ｙの長手方向の中央部裏面には、湾曲調整機構の押込手段が当接している。この押込手段は、曲がり調整パルスモータ６５Ｙ、モータホルダ６７Ｙ、曲がり調整アジャスタ６８Ｙ等を有している。
【００３０】
図７は、傾き補正機構の傾き調整パルスモータ５６Ｙ及び傾き調整アジャスタ５８Ｙを側面側から示す側面図である。また、図８は、傾き補正機構のモータホルダ５７Ｙ及び傾き調整アジャスタ５８Ｙを示す平面図である。図７に示すように、傾き調整パルスモータ５６Ｙの回転軸５６ａＹには、雄ネジ部５６ｂＹが設けられている。傾き調整アジャスタ５８は自らに設けられた雌ネジ部が前述の雄ネジ部５６ｂＹに螺合せしめられることで、回転軸５６ａＹに固定される。傾き調整アジャスタ５８Ｙは、図８に示すように、断面Ｄ形状をしており、モータホルダ５７に設けられたＤ形状のアジャスタ挿入口５７ａＹに挿入されている。傾き調整アジャスタ５８Ｙは、傾き調整パルスモータ５６Ｙの回転軸５６ａＹが回転してもアジャスタ挿入口５７ａＹに係止されるので回転することがない。そして、回転軸５６ａＹの回転に伴うネジ送りによって図４の矢印Ｄ方向に昇降する。なお、上述した押込手段も、傾き補正機構と同様の構成になっている。
【００３１】
先に示した図５において、傾き調整パルスモータ５６Ｙを保持しているモータホルダ５７Ｙは、図示しないプリンタ本体のハウジングに固定されている。この傾き調整パルスモータ５６Ｙの回転軸のネジ部に螺合せしめられた傾き調整アジャスタ５８Ｙの頂部は、第３反射鏡４６Ｙの端部の鏡面に当接している。
【００３２】
一方、第３反射鏡４６Ｙにおける傾き調整パルスモータ５６Ｙとは反対側の端部（以下、「支点側端部」という。）は、図示しないプリンタ本体のハウジングに形成された支持部６６の上に載せられている。この状態で、図示しないハウジングに固定された板バネ６９が裏面に押し当てられることで、支持部と板バネ６９との間に挟み込まれている。
【００３３】
傾き調整パルスモータ５６Ｙの回転軸に螺合せしめられた傾き調整アジャスタ（図７の５８Ｙ）が回転軸の回動に伴って昇降すると、第３反射鏡４６Ｙの一端部に対する傾き調整アジャスタの押込量が変化する。これにより、第３反射鏡４６Ｙのモータ側端部が、支持部６６と板バネとの間に挟み込まれている支点側端部を支点にして、図９に示すようにアジャスタ昇降方向に揺動する。そして、この揺動によって第３反射鏡４６Ｙの傾きが変化する。つまり、図示の第３反射鏡４６Ｙは、傾き調整パルスモータ５６Ｙの回動量の調整によって傾きが調整される。
【００３４】
先に示した図５において、押込手段は、曲がり調整アジャスタ６８Ｙの頂部を第３反射鏡４６Ｙの長手方向の中央部裏面に当接させている。そして、先に説明した傾き補正機構と同様の原理によって曲がり調整アジャスタ６８Ｙを昇降させるのに伴って、第３反射鏡４６Ｙの長手方向中央部に対する押込量を変化させる。
【００３５】
図１０は、ホルダー５２Ｙの両端部を示す部分拡大斜視図である。先に示した図４において、第３反射鏡４６Ｙの裏面側に位置しながら第３反射鏡４６Ｙを保持しているホルダー５２Ｙは、図１０に示すように、第３反射鏡４６Ｙの幅方向に並ぶ２つの爪５２ａＹを、長手方向の両端部にそれぞれ有している。これらの爪５２ａＹは、ホルダー５２Ｙの本体に一体形成されたものである。ホルダー５２Ｙは、図４に示したようにそれぞれの爪５２ａＹを第３反射鏡４６Ｙの鏡面に引っ掛けることで、第３反射鏡４６Ｙを鏡面側で支持している。また、図５に示したように、ホルダー５２Ｙは、長手方向の両端部にそれぞれ押圧部材としての板バネ５２ｂＹを有している。これら板バネ５２ｂＹはそれぞれ、支持部材たる爪５２ａＹよりも長手方向の端側で、第３反射鏡４６Ｙの裏面（非鏡面）を鏡面側に向けて付勢している。なお、図１０に示したように、ホルダー５２Ｙの両端部には、それぞれ板バネ（５２ｂＹ）を固定するためのネジ穴５２ｃＹが設けられている。
【００３６】
第３反射鏡４６Ｙの両端部がそれぞれ板バネ（５２ｂＹ）によって裏面側から付勢されると、図１１に点線で示すように、第３反射鏡４６Ｙが、爪５２ａＹを支点にして長手方向の中央部を裏面側に向けて撓ませるように強制的に湾曲せしめられる。つまり、保持体としてのホルダー５２Ｙは、第３反射鏡４６Ｙを強制的に裏面側に向けて湾曲させた状態で保持している。
【００３７】
この状態で、先に図４や図５に示した曲がり調整パルスモータ６５Ｙ等からなる押込手段が第３反射鏡４６Ｙの長手方向の中央部裏面を押し込む。すると、図１２に矢印Ｂで示すように、第３反射鏡４６Ｙの長手方向の中央部に対し、両端部側の板バネ５２ａＹに打ち勝って逆方向に湾曲させ始めるほどの押込力が付与される。そして、一点鎖線や点線で示すように、第３反射鏡が裏面側への湾曲量を減少させたり、逆方向に湾曲したりする。
【００３８】
かかる構成の反射光学系では、既に説明したように、第３反射鏡４６Ｙを裏面側、鏡面側の何れの方向にも湾曲できるようにすることで、図示しない感光体の表面上の主走査線における副走査方向の上流側、下流側に向けての湾曲を何れも補正することができる。
【００３９】
ホルダー５２Ｙとしては、第３反射鏡４６Ｙよりも剛性の強いものを用いている。具体的には、ホルダー５２Ｙとしては、ヤング率Ｅ＝２×１０００００［ＭＰａ］の電気亜鉛メッキ鋼板（ＳＥＣＣ）からなるものを用いている。これに対し、第３反射鏡４６Ｙは、ヤング率Ｅ＝７×１００００［ＭＰａ］のガラスからなるものを用いている。更に、ホルダー５２Ｙをコの字状の断面形状にすることでより大きな断面２次モーメントを発揮するようにした。これにより、ホルダー５２Ｙの変形量を第３反射鏡４６Ｙに比べて小さくした。材料力学の梁の式より、変形量はヤング率Ｅと断面２次モーメントに反比例することから、ホルダー５２Ｙの変形量は第３反射鏡４６Ｙよりも遙かに小さくなる。
【００４０】
なお、剛性は、部材の断面形状、長さ、厚さ、ヤング率などによって影響される。本例では、第３反射鏡４６Ｙをホルダー５２Ｙによって強制的に湾曲させたときに、第３反射鏡４６Ｙの湾曲量に対して、ホルダー５２Ｙをその１／１００以下しか変形させないように、ホルダーの厚さ、断面形状、断面２次モーメント等を設定した。より詳しくは、ホルダー５２Ｙとして厚み１［ｍｍ］のものを用い、第３反射鏡４６Ｙの強制湾曲による反力でホルダー５２Ｙを大きく変形させないように、ホルダー５２Ｙの断面形状を「コ」の字状にして断面２次モーメントを大きくした。図１５や図１６に示すような「コ」の字状の断面にすることで、通常の平板形状に比べて断面２次モーメントを３倍以上にすることができる。なお、図１６における厚みｔは１［ｍｍ］である。また、幅Ｗは８［ｍｍ］、高さＨは１３［ｍｍ］である。
【００４１】
かかる構成においては、第３反射鏡４６Ｙを強制的に湾曲させた状態で保持するホルダー５２Ｙが第３反射鏡４６Ｙよりも強い剛性を発揮することにより、同じ剛性あるいは第３反射鏡４６Ｙよりも弱い剛性のものに比べて、ホルダー５２Ｙの経時的な変形を抑える。よって、主走査線の湾曲をより長期間に渡って補正することができる。
【００４２】
Ｙ用の反射光学系における傾き補正機構や湾曲補正機構（ホルダー及び押込手段）について説明したが、Ｃ，Ｍ，Ｋ用の反射光学系も同様の構成になっている。また、傾き調整機構や湾曲補正機構を第３反射鏡に設けた例について説明したが、第１反射鏡や第２反射鏡に設けてもよい。また、Ｙ，Ｃ，Ｍ，Ｋ用の全ての反射光学系に傾き補正機構や湾曲補正機構を設けた例について説明したが、何れか１つの反射光学系における主走査線の傾きや湾曲に合わせて、他の反射光学系における主走査線の傾きや湾曲を補正する場合には、基準となる反射光学系に傾き補正機構や湾曲補正機構を設ける必要はない。この場合、レーザーダイオードの数よりも１つ少ない数だけ、傾き補正機構や湾曲補正機構を設ければよいのである。
【００４３】
感光体上での主走査線の傾き調整は、本プリンタの出荷時に行われるとともに、本プリンタの稼働時において例えばプリント枚数が所定枚数に達したタイミングやユーザー指示を受けたタイミング等の所定のタイミングでも行われる。傾き調整では、まず、図３に示した各色の感光体１０Ｙ，１０Ｃ，１０Ｍ，１０Ｋ上に通常の画像形成動作時と同じ動作で、予め決められた位置ずれ検知用の静電潜像が形成される。そして、通常の画像形成動作時と同じ動作で、各色の位置ずれ検知用の静電潜像が現像されて、各色の位置ずれ検知用のトナー像となる。これらトナー像が中間転写ベルトの互いにずれた位置に１次転写されると、各色のトナー像が所定パターンで並ぶ位置ずれ検知用パターン像となる。その後、中間転写ベルトの無端移動に伴って、ベルト上の位置ずれ検知用パターン像の各トナー像が図示しない光学センサによって検知される。本プリンタの図示しない制御部は、この光学センサによる各トナー像の検知タイミングに基づいて、各トナー像の相対的位置ずれを把握する。そして、把握結果に基づいて、各トナー像の位置ズレ量を最小にし得る黒（Ｋ）用の主走査線に対する他色（Ｙ、Ｃ、Ｍ）用の主走査線の傾き量をそれぞれ算出する。次に、算出結果に基づいて、傾き調整パルスモータ（例えば５６Ｙ）を所定の回転角度だけ正回転又は逆回転させる。これによって反射鏡の傾きが変化すると、鏡面に対する書込光Ｌの入射位置が変わるため、感光体上での主走査線の傾きが変化する。この結果、調整前に生じていた主走査線の傾きを補正することができる。
【００４４】
感光体上での主走査線の湾曲調整は、傾き調整と同様のタイミングで行われる。装置組立直後の初期状態では、反射鏡が先に示した図１１に示した点線のような姿勢で湾曲している。このような初期状態においては、主走査線も湾曲した形状になる。この初期状態から、湾曲補正機構の押込手段の曲がり調整パルスモータ（例えば６５Ｙ）を回転させて、曲がり調整アジャスタ（例えば６８Ｙ）を反射鏡（例えば４６Ｙ）の長手方向の中央部裏面に当接させ、その後のアジャスタの上昇量を調整することで、主走査線の湾曲を補正することができる。
【００４５】
このような湾曲調整は、傾き調整と並行して行われる。具体的には、制御部は、上述した位置ずれ検知用パターン像の検知結果に基づいて、各色（Ｋ、Ｙ、Ｃ、Ｍ）の主走査線の湾曲量を把握する。そして、把握した各湾曲量を最小にする各色（Ｋ、Ｙ、Ｃ、Ｍ）用の鏡曲湾曲量を算出した後、算出結果に基づいて、曲がり調整パルスモータ（例えば６５Ｙ）を所定の回転角度だけ正回転又は逆回転させる。これにより、主走査線の湾曲が補正される。
【００４６】
各色の反射光学系の湾曲補正機構におけるホルダーでは、図１３に示すように、主走査線の主走査方向の有効範囲Ａ１よりも外側に、支持部材である爪５２ａを設けている。かかる構成では、傾き補正機構によって第３反射鏡を大きく傾けたり、湾曲補正機構によって第３反射鏡を大きく湾曲させたりしたことに伴って、爪５２ａを書込光の光路に位置させたとしても、それによる画質の乱れを回避することができる。
【００４７】
図１４は、実施形態に係るプリンタの変形例装置におけるホルダー５２の両端部を第３反射鏡４６とともに示す部分拡大斜視図である。このホルダー５２は、本体に一体形成された爪の代わりに、支持金物５２ｄを長手方向の両端部にそれぞれ有している。この支持金物５２ｄは、ホルダー５２の本体とは別体となっており、第３反射鏡４６がホルダー５２の本体内に収められた後に、ホルダー５２の両端部に係止される。かかる構成では、実施形態のホルダーのように爪がホルダー本体に一体形成されたものに比べて、第３反射鏡４６の組付作業性を向上させることができる。但し、支持部材たる支持金物５２ｄをホルダー本体と別体にしたことにより、一体形成したものに比べてコスト高になる。逆に、実施形態のように、爪をホルダー本体に一体形成することで、低コスト化を図ることができる。
【００４８】
図１７は、押込手段を調整ネジ１６５とした例を示す第３反射鏡４６の裏面側から見た斜視図である。
図に示すように、ホルダー５２の長手方向中央部には、ネジ穴が設けらており、このネジ穴に調整ネジ１６５が螺合している。図示してないが、調整ネジ１６５の頂部は、第３反射鏡４６の長手方向の中央部裏面に当接させている。そして、図１８に示すように、調整ネジ１６５を回転させる治具１６６により、調整ネジ１６５を締めたり緩めたりすることによって、第３反射鏡４６の長手方向中央部に対する押込量を変化させる。これにより、先の図１２の一点鎖線や点線で示すように、第３反射鏡４６が裏面側への湾曲量を減少させたり、逆方向に湾曲したりすることができる。
押込手段を調整ネジ１６５とすることで、パルスモータなどで押込手段を構成するものに比べて、簡単な構成にすることができ、装置を安価にすることができる。
【００４９】
また、図１９に示すように、ホルダー５２の長手方向中央部に、第３反射鏡４６の裏面に対して傾斜する面を有する調整ネジ取り付け面５２ｆを設け、この調整ネジ取り付け面５２ｆに、調整ネジ取り付け面５２ｆに対して直交する方向に開けたネジ穴を設け、このネジ穴に調整ネジ１６５を螺合させてもよい。これにより、第３反射鏡４６の裏面に対して斜め方向から、第３反射鏡４６を押し込むこととなる。このように構成することで、図１７に示すように、第３反射鏡４６に対して垂直方向に第３反射鏡４６を押し込むよりも、調整ネジ１６５の回転量に対する第３反射鏡４６の押込量が少なくなる。これにより、押込手段の調整分解能を高めることができ、精度のよい湾曲補正を行うことができる。
【００５０】
先の図３に示すように、第３反射鏡４６の裏面側には、光書込ユニット４のハウジングが、第３反射鏡４６の裏面と対向している。このため、先の図１７、図１８に示すように、調整ネジ１６５を第３反射鏡４６の裏面に対して垂直になるように取り付けた場合は、治具１６６を調整ネジ１６５の頭部にはめ込むときに、ハウジングが邪魔になり調整作業が困難である（図２０の矢印M参照）。一方、図１９に示すように、調整ネジ１６５を第３反射鏡４６の裏面に対して斜めになるように取り付けた場合は、図２０の矢印Nに示すように、治具１６６を調整ネジ１６５の頭部にはめ込むときの方向が、光書込ユニット４のハウジングが邪魔にならない方向となるように調整ネジ取り付け面５２ｆを設けることで、調整ネジ１６５を第３反射鏡４６の裏面に対して垂直になるように取り付けた場合に比べて、湾曲調整の作業を容易にすることができる。
【００５１】
なお、図１７〜図１９においては、調整ネジを第３反射鏡の長手方向中央部にひとつ設けた場合について説明しているが、調整ネジを第３反射鏡の長手方向に複数設けて、各調整ネジの押込量をそれぞれ調整することで、反射鏡の湾曲補正を行ってもよい。
【００５２】
図２１は、押込手段をカム部材２６５とした例を示す第３反射鏡４６の裏面側から見た斜視図である。
図に示すように、ホルダー５２の長手方向中央部には、長穴５２ｅが設けられており、この長穴５２ｅにカム部材２６５が回転自在に取り付けられている。そして、図２２に示すように、ホルダー５２の上下面に回転自在に取り付けられたカム軸２６６を治具などを用いて回転させることで、カム部材による第３反射鏡の押込量が変化し、先の図１２の一点鎖線や点線で示すように、第３反射鏡４６が裏面側への湾曲量を減少させたり、逆方向に湾曲したりすることができる。
【００５３】
図２１に示すような構成とすることで、図２０の矢印Ｌに示すように、第３反射鏡を押込む方向に対して直交する方向からカム軸２６６にアクセスすることができるため、湾曲調整の作業を容易にすることができる。
【００５４】
また、上述では、第３反射鏡４６に湾曲補正機構を設けているが、第１〜第３反射鏡のうち、反射鏡への入射光と反射鏡で反射した反射光とのなす角度が最も鈍角となる反射鏡に湾曲補正機構を設けるのが好ましい。
以下に、第３反射鏡４６を例にして、反射鏡への入射光と反射鏡で反射した反射光とのなす角度が鈍角の場合と鋭角の場合とについて説明する。
図２３は、第３反射鏡４６への入射光と第３反射鏡４６で反射した反射光とのなす角度を鋭角にした場合における第３反射鏡中央部を所定量湾曲させたときの主走査線の湾曲量について説明する図である。図２４は、第３反射鏡４６への入射光と第３反射鏡４６で反射した反射光とのなす角度を鈍角にした場合における第３反射鏡中央部を所定量湾曲させたときの主走査線の湾曲量について説明する図である。
図２３、図２４からわかるように、第３反射鏡中央部を同じ量（α）湾曲させたとき、鈍角にした方が、鋭角にしたものに比べて、主走査線の湾曲が大きくなることがわかる。よって、感光体上の主走査線の湾曲を補正するため、第３反射鏡を湾曲させたとき、鈍角にした方が、鋭角にしたものに比べて、第３反射鏡４６の湾曲量が少なくて済む。よって、湾曲調整後、反射鏡の長手手方向中央部の光路長が大きく異なることが抑制され、ビームスポット特性の劣化を抑制することができる。
【００５５】
よって、第１〜第３反射鏡のうち、反射鏡への入射光と反射鏡で反射した反射光とのなす角度が最も鈍角となる反射鏡に湾曲補正機構を設けることで、湾曲調整後、反射鏡の長手手方向中央部の光路長が大きく異なることが抑制され、ビームスポット特性の劣化を抑制することができる。
【００５６】
以上、実施形態に係るプリンタにおいては、第３反射鏡の長手方向の両端部でそれぞれ、第３反射鏡４６を支持部材たる爪５２ａで支えながらその爪５２ａよりも端側で第３反射鏡４６を押圧部材たる板バネ５２ｂによって押圧することで、第３反射鏡４６を強制的に湾曲させた状態で保持するように、保持体としてのホルダー５２を構成している。かかる構成では、第３反射鏡４６を、強制的な湾曲の支点となる爪５２ａよりも長手方向の端側で板バネ５２ｂによって押圧することで、第３反射鏡４６の中央部を強制的に湾曲させることができる。また、第３反射鏡４６の長手方向の両端部をそれぞれ板バネ５２ｂによって押圧することで、中央部に向けてのモーメントを発生させて、第３反射鏡４６を両端部の板バネ５２ｂの間で安定して保持することができる。
【００５７】
また、実施形態に係るプリンタにおいては、爪５２ａによって第３反射鏡４６の鏡面を支えつつ、バネ５２ｂによって第３反射鏡４６を裏面側から押圧するように、ホルダー５２を構成している。かかる構成では、第３反射鏡４６の強制的な湾曲の支点となる爪５２ａを、第３反射鏡４６の鏡面に当接させた状態で、爪５２ａよりも長手方向の端側でバネ５２ｂによって第３反射鏡４６の裏面を鏡面に向けて押圧することで、第３反射鏡４６の長手方向の中央部を鏡面側から裏面側に向けて強制的に湾曲させることができる。また、ホルダー５２と第３反射鏡４６との間で発生させた押圧力によって第３反射鏡４６を強制的に湾曲させることが可能なので、押圧部材として、板バネやコイルバネなどといった簡単な構成の市販品を用いることができる。
【００５８】
また、実施形態に係るプリンタにおいては、第３反射鏡４６をその長手方向の両端部でそれぞれ支持する爪５２ａよりも長手方向の中央寄りで第３反射鏡４６を押し込むように、曲がり調整パルスモータ等からなる押込手段を構成している。かかる構成では、ホルダー５２によって強制的に湾曲せしめられている第３反射鏡４６の中央側を押込手段によって強制的な湾曲方向とは逆方向に押し込むことで、それまで強制的な湾曲の支点となっていた爪５２ａを支点として、第３反射鏡４６を逆方向に向けて湾曲させることができる。
【００５９】
また、実施形態に係るプリンタにおいては、第３反射鏡４６を裏面側から押し込むように、押込手段を構成している。かかる構成では、押込手段を第３反射鏡４６の鏡面に接触させずに第３反射鏡４６を押し込むことで、押込手段と鏡面との接触部で鏡面を破損してしまうといった事態を回避することができる。
【００６０】
また、実施形態に係るプリンタにおいては、押込手段を調整ネジ１６５とし、調節ネジ１６５の先端を第３反射鏡４６の裏面に当接させて、調整ネジ１６５の回転方向および回転量を調整することによって、第３反射鏡４６に対する押込量を調整するようにしてもよい。かかる構成では、パルスモータなどで押込手段を構成するものに比べて、簡単な構成にすることができ、装置を安価にすることができる。
また、調整ネジ１６５のピッチを変えるだけで湾曲調整の分解能を変更することができる。
【００６１】
また、実施形態に係るプリンタにおいては、押込手段をカム部材２６５とし、カム部材２６５を第３反射鏡４６の裏面に当接させて、カム部材２６５の回転角度を調整することによって、第３反射鏡４６に対する押込量を調整するようにしてもよい。かかる構成とすることで、第３反射鏡を押込む方向に対して直交する方向に設けられたカム部材が固定されたカム軸を回転させることで、押込量の調整が可能となる。よって、第３反射鏡の裏面側に光書込ユニットのハウジングが対向して、第３反射鏡の裏面側から、湾曲調整のためのアクセスが困難な構成のプリンタにおいて、押込手段としてカム部材を採用すれば、第３反射鏡を押込む方向に対して直交する方向から、湾曲調整のためのアクセスができ、湾曲調整の作業性が向上する。
【００６２】
また、実施形態に係るプリンタにおいては、第３反射鏡の鏡面と直交する方向に引いた仮想線に対して角度をなす方向から第３反射鏡を、押し込むように構成することで、第３反射鏡の鏡面と直交する方向に押し込んだ場合に比べて、湾曲調整の分解能を高めることができる。
【００６３】
また、実施形態に係るプリンタにおいては、ホルダー５２として、ホルダー本体に爪５２ａが一体形成されたものを用いているので、爪５２ａの代わりに別体の支持部材を用いる場合に比べて、低コスト化を図ることができる。
【００６４】
また、実施形態に係るプリンタにおいては、ホルダー５２の爪５２ａを光ビームたる書込光の主走査方向の有効範囲Ａ１からはずした位置に設けている。かかる構成では、既に説明したように、傾き補正機構によって第３反射鏡を大きく傾けたり、湾曲補正機構によって第３反射鏡を大きく湾曲させたりしたことに伴って、爪５２ａを書込光の光路に位置させたとしても、それによる画質の乱れを回避することができる。
【００６５】
また、実施形態に係るプリンタにおいては、複数の反射鏡のうち、反射鏡に入射する光ビームと、反射鏡で反射した光ビームとのなす角度が最も鈍角とる反射鏡である第３反射鏡を湾曲補正機構によって湾曲させる。かかる構成によれば、湾曲調整後、反射鏡の長手手方向中央部の光路長が大きく異なることが抑制され、ビームスポット特性の劣化を抑制することができる。
【図面の簡単な説明】
【００６６】
【図１】実施形態に係るプリンタを示す概略構成図。
【図２】同プリンタにおけるＹ用の作像ステーションを示す概略構成図。
【図３】同プリンタおける光書込ユニットを、４つの感光体とともに示す概略構成図。
【図４】同光書込ユニットのＹ用の第３反射鏡とその周囲構成とを、第３反射鏡の鏡面側から示す斜視図。
【図５】同第３反射鏡の縦断面と、その周囲構成とを示す構成図。
【図６】同光書込ユニットのＹ用の傾き調整機構を示す拡大斜視図。
【図７】同傾き補正機構の傾き調整パルスモータ及び傾き調整アジャスタを側面側から示す側面図。
【図８】同傾き補正機構のモータホルダ及び傾き調整アジャスタを示す平面図。
【図９】同第３反射鏡の縦断面を、同傾き補正機構及びホルダーとともに示す拡大構成図。
【図１０】同ホルダーの両端部を示す部分拡大斜視図。
【図１１】同ホルダーによって保持される同第３反射鏡の強制的な撓みを説明する模式図。
【図１２】湾曲調整機構の押込手段によって強制的な湾曲を直される状態の第３反射鏡を示す模式図。
【図１３】同光書込ユニットの主走査線の有効範囲と、ホルダーの爪との位置関係を説明する説明図。
【図１４】実施形態に係るプリンタの変形例装置におけるホルダーの両端部を第３反射鏡とともに示す部分拡大斜視図。
【図１５】同ホルダーを鏡支持面側から示す斜視図。
【図１６】同ホルダーを図１５の矢印Ｅ方向から示す側面図。
【図１７】押込手段を調整ネジとした例における第３反射鏡の裏面側から見た斜視図。
【図１８】同押込手段を調整ネジとした例における第３反射鏡の湾曲調整について説明する図。
【図１９】同押込手段を調整ネジとした例における変形例を示す図。
【図２０】治具のアクセス方向について説明する図。
【図２１】押込手段をカム部材とした例における第３反射鏡の裏面側から見た斜視図。
【図２２】同押込手段をカム部材とした例における第３反射鏡の湾曲調整について説明する図。
【図２３】第３反射鏡への入射光と第３反射鏡で反射した反射光とのなす角度を鋭角にした場合における第３反射鏡中央部を所定量湾曲させたときの主走査線の湾曲量について説明する図。
【図２４】第３反射鏡への入射光と第３反射鏡で反射した反射光とのなす角度を鈍角にした場合における第３反射鏡中央部を所定量湾曲させたときの主走査線の湾曲量について説明する図。
【符号の説明】
【００６７】
４：光書込ユニット（光走査装置）
５：中間転写ユニット（転写手段）
１０Ｙ，Ｃ，Ｍ，Ｋ：感光体（走査対象物、潜像担持体）
１２Ｙ，Ｃ，Ｍ，Ｋ：現像装置（現像手段）
４１ａ，ｂ：ポリゴンミラー（偏向手段の一部）
４４Ｙ，Ｃ，Ｍ，Ｋ：第１反射鏡
４５Ｙ，Ｃ，Ｍ，Ｋ：第２反射鏡
４６Ｙ，Ｃ，Ｍ，Ｋ：第３反射鏡
５２Ｙ：ホルダー（保持体、湾曲補正機構の一部）
５２ａＹ：爪（支持部材）
５２ｂＹ：板バネ（押圧部材）
５６Ｙ：傾き調整パルスモータ（傾き補正機構の一部）
５７Ｙ：モータホルダ（傾き補正機構の一部）
５８Ｙ：傾き調整アジャスタ（傾き補正機構の一部）
６５Ｙ：曲がり調整パルスモータ（押圧手段の一部、湾曲補正機構の一部）
６７Ｙ：モータホルダ（押圧手段の一部、湾曲補正機構の一部）
６８Ｙ：曲がり調整アジャスタ（押圧手段の一部、湾曲補正機構の一部）
【図１】
0005354323.tif 000002
【図２】
0005354323.tif 000003
【図３】
0005354323.tif 000004
【図４】
0005354323.tif 000005
【図５】
0005354323.tif 000006
【図６】
0005354323.tif 000007
【図７】
0005354323.tif 000008
【図８】
0005354323.tif 000009
【図９】
0005354323.tif 000010
【図１０】
0005354323.tif 000011
【図１１】
0005354323.tif 000012
【図１２】
0005354323.tif 000013
【図１３】
0005354323.tif 000014
【図１４】
0005354323.tif 000015
【図１５】
0005354323.tif 000016
【図１６】
0005354323.tif 000017
【図１７】
0005354323.tif 000018
【図１８】
0005354323.tif 000019
【図１９】
0005354323.tif 000020
【図２０】
0005354323.tif 000021
【図２１】
0005354323.tif 000022
【図２２】
0005354323.tif 000023
【図２３】
0005354323.tif 000024
【図２４】
0005354323.tif 000025